(57)【特許請求の範囲】
【請求項１】
洗濯機本体の上部に設けた上部枠体に設けた安全スイッチと、前記洗濯機本体内に防振機構により懸垂支持した受槽の異常振動を感知して前記安全スイッチを作動させるスイッチレバーとを備え、前記スイッチレバーは、スイッチレバー本体と下方突出レバーとで構成し、前記スイッチレバー本体は、前記下方突出レバーを支持点で回動自在に支持し、前記下方突出レバーを下方に突出させた所定の位置に支持固定可能とするとともに、前記下方突出レバーを前記受槽方向に回動させ前記上部枠体内に保持固定可能とした脱水洗濯機の安全装置。
【請求項２】
下方突出レバーは、受槽方向に回動されたとき、上部枠体に設けた係止部に押入されることで係止され保持固定されるようにした請求項１記載の脱水洗濯機の安全装置。
【請求項３】
下方突出レバーは、下方に突出された状態においては、スイッチレバー本体と嵌合にて所定の位置に支持固定されるようにした請求項１または２記載の脱水洗濯機の安全装置。
【請求項４】
下方突出レバーは、受槽と接触する当板を一体に弾性を有する合成樹脂にて形成した請求項１〜３のいずれか１項に記載の脱水洗濯機の安全装置。
【発明の詳細な説明】
【０００１】
【発明の属する技術分野】
本発明は、洗濯機本体内に防振機構により懸垂支持した受槽の異常振動を感知して動作する脱水洗濯機の安全装置に関するものである。
【０００２】
【従来の技術】
従来、この種の安全装置を備えた脱水洗濯機は、図５に示すように構成していた。以下、その構成について説明する。
【０００３】
図に示すように、洗濯機本体１は、内部に受槽２を防振機構３により懸垂支持し、受槽２に脱水槽４を回転自在に内包し、脱水槽４を受槽２の下部に設けたモータ５により回転駆動するように構成している。上部枠体６は、洗濯機本体１の上部に設け、この上部枠体６に安全スイッチを７を設けている。安全スイッチ７には、受槽２の異常振動を感知して、安全スイッチ７を作動させるスイッチレバー８を上部枠体６の下方に突出して設けている。９は上部枠体６の投入口を覆い、開閉自在に設けた蓋である。
【０００４】
安全スイッチ７は、図６に示すように構成しており、スイッチレバー８は安全スイッチ７と一体に組立てられており、上方は安全スイッチ７を作動させる動作片１０で支点１１に支持されている。スプリング１２は安全スイッチ７とスイッチレバー８との間に設け、スイッチレバー８を下方に付勢している。当板１３はスイッチレバー８に装着し、受槽２との隙間調整と衝撃を和らげるために設けている。
【０００５】
【発明が解決しようとする課題】
このような従来の構成では、上部枠体６に取付けた安全スイッチ７のスイッチレバー８は、下方に突出して取付けられているため、上部枠体６の組立完了後、その取扱いにおいて、たとえば保管、運搬時にスイッチレバー８が他の物体に接触して変形するのを防止するために、特別の保管箱、保管棚が必要であり、保管スペースが大きく、その取扱いにも注意を必要とするなどの問題を有していた。
【０００６】
また、洗濯機本体１との組立時、補修サービス時などにおいて、このスイッチレバー８が他の物体に接触して変形する恐れがあり、その取扱いには細心な注意が必要であった。
【０００７】
また、スイッチレバー８は、通常、安全スイッチ７と一体に組立て、脱水洗濯機の機種毎に設けられており、多くの安全スイッチ７が必要であり、突出するスイッチレバー８には、受槽２と接触する個所に受槽２との隙間調整と衝撃を和らげるために当板１３を設けており、さらに部品が増えるなど、部品管理、製造上の問題を有していた。
【０００８】
本発明は上記従来の課題を解決するもので、上部枠体の組立完了後の取扱い、保管、運搬時にスイッチレバーが変形しないようにし、取扱いが容易で、保管スペースを少なくすることを目的としている。
【０００９】
【課題を解決するための手段】
本発明は上記目的を達成するために、洗濯機本体の上部に設けた上部枠体に安全スイッチを設け、洗濯機本体内に防振機構により懸垂支持した受槽の異常振動をスイッチレバーにより感知して安全スイッチを作動させ、スイッチレバーは、スイッチレバー本体と下方突出レバーとで構成し、スイッチレバー本体は、下方突出レバーを支持点で回動自在に支持し、下方スイッチレバーを下方に突出させた所定の位置に支持固定可能とするとともに、下方突出レバーを受槽方向に回動させ上部枠体内に保持固定可能としたものである。
【００１０】
これにより、上部枠体の組立完了後の取扱い、保管、運搬時にスイッチレバーが変形しないようにでき、取扱いが容易で、保管スペースを少なくすることができ、かつ洗濯機本体に組み立て時には、下方突出レバーが所定の位置に確実に支持固定されるので受槽の異常振動を確実に感知できる。
【００１１】
【発明の実施の形態】
本発明の請求項１に記載の発明は、洗濯機本体の上部に設けた上部枠体に設けた安全スイッチと、前記洗濯機本体内に防振機構により懸垂支持した受槽の異常振動を感知して前記安全スイッチを作動させるスイッチレバーとを備え、前記スイッチレバーは、スイッチレバー本体と下方突出レバーとで構成し、前記スイッチレバー本体は、前記下方突出レバーを支持点で回動自在に支持し前記下方突出レバーを下方に突出させた所定の位置に支持固定可能とするとともに、前記下方突出レバーを前記受槽方向に回動させ前記上部枠体内に保持固定可能としたものであり、上部枠体の組立完了後の取扱い、保管、運搬時にスイッチレバーが変形することがなく、その取扱いが容易で、保管スペースも少なくすることができるとともに、洗濯機本体に組み立て時、下方突出レバーを所定の位置に確実に支持固定ができ、受槽の異常振動を確実に検知することができるものである。
【００１２】
請求項２に記載の発明は、上記請求項１に記載の発明において、下方突出レバーは、受槽方向に回動されたとき、上部枠体に設けた係止部に押入されることで係止され保持固定されるようにしたものであり、下方突出レバーを上部枠体に収納した状態において、その他端を上部枠体の係止部に係止させることができるので、下方突出レバーの保持、固定を確実にすることができ、また、組立作業においては、組立直前に下方突出レバーの係止を外して、下方に垂下させればよいので、スイッチレバーの変形によるトラブルを解消することができる。
【００１３】
請求項３に記載の発明は、上記請求項１または２に記載の発明において、下方突出レバーは、下方に突出された状態においては、スイッチレバー本体と嵌合にて所定の位置に支持固定されるようにしたものであり、下方突出レバーを下方に突出させたとき、所定の位置にて固定されるので、受槽の異常振巾を感知することができる。また、補修サービス等において、上部枠体を取外す際、あるいは取り外した後、下方突出レバーが下方に突出したままであると、この下方突出レバーが障害となって、置き場所に困る等その取扱いに注意する必要があるが、下方突出レバーを上部枠体に折り曲げ収納させることができるので、問題が解消される。
【００１４】
請求項４に記載の発明は、上記請求項１〜３に記載の発明において、下方突出レバーは、受槽と接触する当板を一体に弾性を有する合成樹脂にて形成したものであり、受槽の異常振動時の接触による衝撃を和らげることができるとともに、合成樹脂製であるから、スイッチレバー本体との分離、係合時に弾性を利用して嵌合できるため、安全スイッチとスイッチレバー本体とは、他機種との共用が可能となり、下方突出レバーのみを適宜交換するのみで、他機種への展開が容易となり、部品管理、製造上合理化できる。
【００１５】
【実施例】
以下、本発明の実施例について、図面を参照しながら説明する。なお、従来例と同じ構成のものは同一符号を付して説明を省略する。また、脱水洗濯機の構成は従来例と同じであるので説明を省略する。
【００１６】
（実施例１）
図１および図２に示すように、スイッチレバー１４は、受槽の異常振動を感知して安全スイッチ７を作動させるもので、スイッチレバー本体１５と下方突出レバー１６とで構成し、下方突出レバー１６は、スイッチレバー本体１５の一端にピン（支持点）１７で回動自在に軸支し、上部枠体６内に収納可能としている。
【００１７】
弾性片１８は、スイッチレバー本体１５の穴１９に嵌合し、内側面に突出する一対の山部２０を形成しており、スイッチレバー本体１５に嵌着している。下方突出レバー１６の一端に穴２１を設け、弾性片１８の一対の山部２０と嵌合可能としている。上部枠体６に下方突出レバー１６の係止部２２を設けており、この係止部２２は、図３に示すように、下方突出レバー１６を押入することにより係止できるように構成している。
【００１８】
上記構成において作用を説明すると、下方突出レバー１６を図２の矢印方向に回動させると、下方突出レバー１６の穴２１と弾性片１８の一対の山部２０とが嵌合して、下方突出レバー１６を所定の位置に支持固定することができ、受槽の異常振巾を感知することができる。
【００１９】
上部枠体の組立完了後、また、補修サービス等において上部枠体を取外す際、または取り外した後、ピン１７を中心として下方突出レバー１６を回動させて上部枠体６内に収納し、上部枠体６に設けた係止部２２に下方突出レバー１６を押入することにより係止することにより、下方突出レバー１６の保持、固定を確実にすることができ、上部枠体６の下面より下方突出レバー１６が突出することがなく、上部枠体６の取扱い、保管、運搬時に下方突出レバー１６が変形することがなく、その取扱いが容易で、保管スペースも少なくすることができる。
【００２０】
（実施例２）
図４に示すように、下方突出レバー２３は、合成樹脂により形成し、スイッチレバー本体１５と嵌着させるピン突起２４を設けるとともに、弾性片１８の一対の山部２０と嵌合する穴２５を設けている。さらに、受槽の異常振動時に、接する際の衝撃を和らげる当板２６を一体に設けている。当板２６は、断面を半円形状に形成している。他の構成は上記実施例１と同じである。
【００２１】
上記構成において作用を説明すると、下方突出レバー２３をスイッチレバー本体１５に装着するには、ピン突起２４を押込むことで装着でき、受槽と接触する当板２６を一体に合成樹脂にて形成しているので、受槽の異常振動時の接触による衝撃を和らげることができるとともに、合成樹脂製であるから、スイッチレバー本体１５との分離、係合時に弾性を利用して嵌合できるため、安全スイッチ７とスイッチレバー本体１５とは、他機種との共用が可能となり、下方突出レバー２３のみを適宜交換するのみで、他機種への展開が容易となり、部品管理、製造上合理化できる。
【００２２】
【発明の効果】
以上のように本発明の脱水洗濯機の安全装置は、洗濯機本体の上部に設けた上部枠体に設けた安全スイッチと、前記洗濯機本体内に防振機構により懸垂支持した受槽の異常振動を感知して前記安全スイッチを作動させるスイッチレバーとを備え、前記スイッチレバーは、スイッチレバー本体と下方突出レバーとで構成し、前記スイッチレバー本体は、前記下方突出レバーを支持点で回動自在に支持し、前記下方スイッチレバーを下方に突出させた所定の位置に支持固定可能とするとともに、前記下方突出レバーを前記受槽方向に回動させ前記上部枠体内に保持固定可能としたから、受槽の異常振動を確実に感知できるとともに、上部枠体の保管、運搬時に下方スイッチレバーが変形することがなく、その取扱いが容易で、保管スペースも少なくすることができる。
【図面の簡単な説明】
【図１】  本発明の第１の実施例の脱水洗濯機の安全装置を上部枠体に取り付けた状態の一部切欠した正面図
【図２】  （ａ）同脱水洗濯機の安全装置の下方突出レバーを収納した状態の一部切欠した正面図
（ｂ）同脱水洗濯機の安全装置のＡ−Ａ線断面図
【図３】  （ａ）同脱水洗濯機の安全装置の下方突出レバーを係止した状態の断面図
（ｂ）同脱水洗濯機の安全装置の一部切欠した正面図
【図４】  （ａ）本発明の第２の実施例の脱水洗濯機の安全装置の下方突出レバーの一部切欠した正面図
（ｂ）同脱水洗濯機の安全装置の下方突出レバーの一部切欠した側面図
（ｃ）同脱水洗濯機の安全装置の下方突出レバーの下面図
【図５】  従来の安全装置を備えた脱水洗濯機の断面図
【図６】  従来の脱水洗濯機の安全装置を上部枠体に取り付けた状態の一部切欠した正面図
【符号の説明】
６  上部枠体
７  安全スイッチ
１４  スイッチレバー
１５  スイッチレバー本体
１６  下方突出レバー
１７  ピン（支持点）
【図１】
0003812070.tif 000002
【図２】
0003812070.tif 000003
【図３】
0003812070.tif 000004
【図４】
0003812070.tif 000005
【図５】
0003812070.tif 000006
【図６】
0003812070.tif 000007